(57)【要約】【課題】患者を手術台と検査機器との間で簡易かつ迅速に搬送する。【解決手段】車台上に設置された天板４とを具備したストレッチャ１において、手術台５に離脱可能かつスライド可能に装着された患者Ａを乗せるテーブル８ｂが手術台上でスライドする際に、テーブルを天板上へと案内する案内部が天板に設けられ、天板における手術台に接続する側と検査機器１１に接続する側には天板に乗ったテーブルの端部に各々対向しうる第一と第二のストッパ１６，１７が設けられ、第一のストッパは、天板が手術台に接続された時に天板下に没入可能であり、手術台との接続が解かれた後に天板上に突出可能とされ、第二のストッパは、天板が検査機器に接続された時に天板下に没入可能であり、接続が解かれた後に天板上に突出可能とされる。従来のように手術台を患者ごと移動させる必要がなく患者を手術台と検査機器との間で速やかに且つ安全に搬送することができる。【選択図】図１３
2011245094.tif 000002
【特許請求の範囲】
【請求項１】
床面上を転動可能な車輪で支えられた車台と、この車台上に設置された天板とを具備したストレッチャにおいて、手術台に離脱可能かつスライド可能に装着された患者を乗せるテーブルが上記手術台上でスライドする際に、このスライドするテーブルを上記天板上へと案内する案内部が上記天板に設けられ、上記天板における上記手術台に接続する側と検査機器に接続する側には上記天板に乗った上記テーブルの端部に各々対向しうる第一と第二のストッパが設けられ、上記第一のストッパは、上記天板が上記手術台に接続された時に天板下に没入可能であり、上記手術台との接続が解かれた後に天板上に突出可能とされ、上記第二のストッパは、上記天板が上記検査機器に接続された時に天板下に没入可能であり、接続が解かれた後に天板上に突出可能とされたことを特徴とするストレッチャ。
【請求項２】
請求項１に記載のストレッチャにおいて、上記第一のストッパに連結片が固定され、この連結片が上記手術台に連結された時にこの連結片を介して上記第一のストッパを上記天板下に没入させ、上記連結片が上記手術台から離反した時にこの連結片を介して上記第一のストッパを上記天板上に突出させるようにしたことを特徴とするストレッチャ。
【請求項３】
請求項１に記載のストレッチャにおいて、上記検査機器に向かって突出する接触子が設けられ、この接触子が上記検査機器の一部に接触すると、この接触子に連動して上記第二のストッパが上記天板下に没入するようにしたことを特徴とするストレッチャ。
【発明の詳細な説明】
【技術分野】
【０００１】
本発明は、患者を手術台とＭＲＩ（核磁気共鳴画像法）装置等の検査機器との間で往復移送するためのストレッチャに関する。
【背景技術】
【０００２】
例えば脳腫瘍を除去する外科手術では、手術台上での患者に対する施術と、ＭＲＩ装置等の検査機器による脳内検査とを繰り返し行って、脳内から腫瘍を全部摘出する必要がある。このような手術では、患者を手術台と検査機器との間で幾度か移動させる必要がある。
【０００３】
従来、このような作業をできるだけ患者に負担を掛けないように行うため、また、手術に支障を来たさないようにするため、手術台自体又は手術台のテーブルをテーブル上の患者ごと検査機器まで搬送するようにしている（例えば、特許文献１，２参照）。
【先行技術文献】
【特許文献】
【０００４】
【特許文献１】特開２０００−２３２９６９号公報
【特許文献２】特開２００７−３０１０６４号公報
【発明の概要】
【発明が解決しようとする課題】
【０００５】
従来の手術台を患者ごと検査機器まで搬送する方法は、手術台や患者が重いのでその搬送に手間と時間が掛かるという問題がある。手術室と検査機器とが離れている場合は、この作業はさらに面倒になる。
【０００６】
また、従来の手術台のテーブルを検査機器まで搬送する方法は、テーブルと検査機器との間を結ぶレールを床上に敷設し、このレール上でテーブルを移動させるようになっているので、可動範囲は広がるがテーブルの移動経路が固定されるという問題があり、また、レール等を設置することから装置コスト、医療コストが高くなるという問題もある。
【０００７】
患者を手術台からストレッチャに乗せ替えて検査機器まで搬送するようにすれば上記問題点は解決するが、通常のストレッチャを用いるのでは患者や看護人等に多大な負担を強いるという問題がある。
【０００８】
したがって、本発明は上記不具合を解消することができるストレッチャを提供することを目的とする。
【課題を解決するための手段】
【０００９】
上記課題を解決するため、請求項１に係る発明は、床面上を転動可能な車輪（２）で支えられた車台（３）と、この車台（３）上に設置された天板（４）とを具備したストレッチャにおいて、手術台（５）に離脱可能かつスライド可能に装着された患者（Ａ）を乗せるテーブル（８）が上記手術台（５）上でスライドする際に、このスライドするテーブル（８）を上記天板（４）上へと案内する案内部（１２）が上記天板（４）に設けられ、上記天板（４）における上記手術台（５）に接続する側と検査機器（１１）に接続する側には上記天板（４）に乗った上記テーブル（８）の端部に各々対向しうる第一と第二のストッパ（１６，１７）が設けられ、上記第一のストッパ（１６）は、上記天板（４）が上記手術台（５）に接続された時に天板（４）下に没入可能であり、上記手術台（５）との接続が解かれた後に天板（４）上に突出可能とされ、上記第二のストッパ（１７）は、上記天板（４）が上記検査機器（１１）に接続された時に天板（４）下に没入可能であり、接続が解かれた後に天板（４）上に突出可能とされたストレッチャ（１）を採用する。
【００１０】
請求項２に記載されるように、請求項１に記載のストレッチャ（１）において、上記第一のストッパ（１６）に連結片（２１）が固定され、この連結片（２１）が上記手術台（５）に連結された時にこの連結片（２１）を介して上記第一のストッパ（１６）を上記天板（４）下に没入させ、上記連結片（２１）が上記手術台（５）から離反した時にこの連結片（２１）を介して上記第一のストッパ（１６）を上記天板（４）上に突出させるようにしたものとすることができる。
【００１１】
請求項３に記載されるように、請求項１に記載のストレッチャ（１）において、上記検査機器（１１）に向かって突出する接触子（２７ａ）が設けられ、この接触子（２７ａ）が上記検査機器（１１）の一部に接触すると、この接触子（２７ａ）に連動して上記第二のストッパ（１７）が上記天板（４）下に没入するようにしたものとすることができる。
【発明の効果】
【００１２】
本発明によれば、床面上を転動可能な車輪で支えられた車台（３）と、この車台（３）上に設置された天板（４）とを具備したストレッチャにおいて、手術台（５）に離脱可能かつスライド可能に装着された患者（Ａ）を乗せるテーブル（８）が上記手術台（５）上でスライドする際に、このスライドするテーブル（８）を上記天板（４）上へと案内する案内部が上記天板（４）に設けられ、上記天板（４）における上記手術台（５）に接続する側と検査機器に接続する側には上記天板（４）に乗った上記テーブル（８）の端部に各々対向しうる第一と第二のストッパ（１６，１７）が設けられ、上記第一のストッパ（１６）は、上記天板（４）が上記手術台（５）に接続された時に天板（４）下に没入可能であり、上記手術台（５）との接続が解かれた後に天板（４）上に突出可能とされ、上記第二のストッパ（１７）は、上記天板（４）が上記検査機器（１１）に接続された時に天板（４）下に没入可能であり、接続が解かれた後に天板（４）上に突出可能とされたストレッチャ（１）であることから、従来のように手術台（５）を患者（Ａ）ごと移動させる必要がない。従って、患者（Ａ）を手術台（５）と検査機器（１１）との間で簡易かつ迅速に搬送することができ、手術及び検査を円滑に行うことができる。また、ストレッチャ（１）上において第一と第二のストッパ（１６，１７）でテーブル（８）を挟むことができるので、患者（Ａ）の搬送中にストレッチャ（１）上でテーブル（８）が妄りに動かないようにしたり、ストレッチャ（１）から脱落したりしないようにすることができる。さらに、第一と第二のストッパ（１６，１７）は天板（４）に対し出没可能であるから、テーブル（８）を手術台（５）と検査機器（１１）との間で円滑に移し替えることができる。
【図面の簡単な説明】
【００１３】
【図１】本発明に係るストレッチャの平面図である。
【図２】ストレッチャの正面図である。
【図３】ストレッチャの左側面図である。
【図４】ストレッチャの右側面図である。
【図５】ストレッチャを手術台に接続し又はＭＲＩ装置に接続した状態を示す平面図である。
【図６】手術台のテーブルが天板上に乗った状態で示すストレッチャの正面図である。
【図７】手術台のテーブルが天板上に乗った状態で示すストレッチャの左側面図である。
【図８】ストレッチャと手術台との接続状態を示す部分切欠平面図である。
【図９】ストレッチャと手術台との接続状態を示す部分切欠正面図である。
【図１０】ストレッチャのＭＲＩ装置側における詳細を示す部分切欠平面図である。
【図１１】ストレッチャのＭＲＩ装置側における詳細を示す部分切欠正面図である。
【図１２】（Ａ）患者がテーブル上に乗った状態の手術台の斜視図、（Ｂ）は手術台にストレッチャを接近させた状態の斜視図、（Ｃ）ストレッチャを手術台に接続した状態の斜視図である。
【図１３】（Ｄ）患者をテーブルごとストレッチャ上に乗せ替えた状態の斜視図、（Ｅ）は患者をテーブルごとストレッチャ上に乗せ替えた後、ストレッチャと手術台との連結を解き、ストレッチャをＭＲＩ装置へと搬送する状態を示す斜視図、（Ｆ）はストレッチャをＭＲＩ装置に接続した状態の斜視図、（Ｇ）はストレッチャからテーブルを患者ごとＭＲＩ装置内へと移動させる状態を示す斜視図である。
【図１４】（Ｈ）はＭＲＩ装置による検査後に患者をテーブルごとストレッチャ上に戻した状態を示す斜視図、（Ｉ）は第二のストッパをストレッチャの天板上に突出させ、テーブルを第一のストッパと共に挟んだ状態を示す斜視図である。
【発明を実施するための形態】
【００１４】
以下、図面を参照して発明を実施するための一形態について説明する。
【００１５】
図１乃至図４に示すように、このストレッチャ１は、手術室や検査室の床面上を転動可能な複数個の車輪２で支えられた車台３と、この車台３上に設置された天板４とを具備する。
【００１６】
手術室の床面上には、図１２（Ａ）に示すように、手術台５が設置される。手術台５は、一般的な構造を有した公知のもので、手術室の床面に接する基台６と、基台６から起立するコラム７と、コラム７上に設置されるテーブル８とを具備する。
【００１７】
コラム７は基台６内に設けられた図示しない駆動源からの動力によって少なくとも上下方向での伸縮動が可能であり、このコラム７の伸縮動に伴ってテーブル８は昇降動作可能である。
【００１８】
テーブル８は手術される患者Ａを乗せるための板であり、固定部８ａと、固定部８ａ上に乗せられたスライド部８ｂとを有する。固定部８ａはコラム７上に固定される。スライド部８ｂは固定部８ａ上でテーブル８の少なくとも長手方向にスライド自在であり、固定部８ａ外へとスライドして手術台５から離脱可能である。また、スライド部８ｂは、図示しないロック装置により固定部８ａ上の所定位置に固定可能である。スライド部８ｂには、図５及び図６に示すように、固定部８ａに接する箇所にローラ９が多数設けられ、これによりスライド部８ｂは固定部８ａとストレッチャ１の天板４との間を円滑にスライド可能である。
【００１９】
例えば、脳外科手術の場合、患者Ａは手術台５のテーブル８上に乗せられ、図５及び図６に示すように頭部固定具１０によって患者Ａの頭部がテーブル８上の定位置に固定される。例えば脳腫瘍の摘出の場合は、術者による手術中、脳腫瘍の摘出が適正に行われたかどうか手術中に幾度か検査機器によって検査される。この検査機器としては一般にＭＲＩ装置が用いられる。ＭＲＩ装置１１は手術室の床面又は手術室に連なる検査室の床面上に設置される。
【００２０】
図１ないし図５に示すように、ストレッチャ１の天板４には、上記テーブル８のスライド部８ｂが固定部８ａ上でスライドする際に、このスライドするスライド部８ｂを天板４上へと案内する案内部１２が設けられる。
【００２１】
この案内部１２は、具体的には天板４の長手方向に沿った左右両側の凸条によって構成される。テーブル８のスライド部８ｂは天板４上へとスライドする際に、左右の凸条によって規制されつつスライド部８ｂの中心線が天板４の中心線に合致するように天板４上に移動する。
【００２２】
案内部１２の端の近傍からは、案内部１２と反対側に受容片１３，１３が各々突出する。受容片１３，１３の内面には各々斜面が形成される。
【００２３】
一方、手術台５のテーブル８の固定部８ａ側には、上記受容片１３，１３の斜面に接しうる斜面を有する凸片１４，１４が設けられる。各凸片１４，１４には、固定部８ａを円滑に移動させることができるように、ローラ１５が設けられる。
【００２４】
これにより、図８及び図９に示すように、ストレッチャ１を手術台５に近づけてストレッチャ１の受容片１３，１３間にテーブル８の固定部８ａの凸片１４，１４を差し込むようにすると、ストレッチャ１がテーブル８に対して幅方向で位置決めされる。
【００２５】
上記天板４における手術台５に接続する側と検査機器であるＭＲＩ装置１１に接続する側すなわち天板４の長手方向の両端には、天板４に乗ったテーブル８のスライド部８ｂの端部に各々対向しうる第一と第二のストッパ１６，１７が設けられる。
【００２６】
第一と第二のストッパ１６，１７は、各々二枚の板片で形成され、天板４の上表面に対して出没可能である。天板４上に患者Ａごと乗り移ったテーブル８のスライド部８ｂは、両側すなわち手術台５に接続する側とＭＲＩ装置１１に接続する側とから第一と第二のストッパ１６，１７によって挟まれることにより、ストレッチャ１によって搬送される際に天板４上での移動や天板４からの脱落が防止される。
【００２７】
なお、第一と第二のストッパ１６，１７は、各々二枚の板片のみならず一枚の板片であってもよいし、三枚以上の板片であってもよい。また、板片でなく単なる突起であってもよい。
【００２８】
また、天板４の両側には、第一と第二のストッパ１６，１７である板片が出入りする孔１６ａ，１７ａが各々形成される。
【００２９】
第一のストッパ１６は、天板４が手術台５に接続された時に天板４の孔１６ａを通って天板４下に没入可能であり、手術台５との接続が解かれた後に孔１６ａを通って天板４上に突出可能に構成される。
【００３０】
具体的には、第一のストッパ１６は、図８及び図９に示すように、車台３の天板４下に垂直に固定された二本のレール１８に各々噛み合うスライダ１９に取付けられる。スライダ１９がレール１８に沿って上下方向にスライドすると、第一のストッパ１６はスライダ１９と共に移動し、孔１６ａを通って天板４上に突出したり、天板４下に没したりする。スライダ１９とレール１８との間には、滑りを良くするために必要に応じてローラ２０が介装される。
【００３１】
また、第一のストッパ１６には各々連結片２１が固定される。連結片２１は車台３の側壁の穴３ａを手術台５側へと貫通して伸び、その先端には手術台５に引掛けるための爪２１ａが上向きに形成される。側壁の穴３ａは縦長に形成される。連結片２１は、天板４にスプリング２２を介して連結されることにより、スライダ１９及び第一のストッパ１６と共に常時上方向に付勢される。スプリング２２によって引っ張られることで、第一のストッパ１６は孔１６ａを通して天板４上に常時突出しようとする。また、爪２１ａも常時上方向に付勢される。
【００３２】
これにより、図８及び図９に示すように、ストレッチャ１を手術台５に近づけて上記受容片１３，１３間に凸片１４を押し込み、ストレッチャ１の一端を手術台５のテーブル８の一端に接触させたうえで、テーブル８を降下させると、テーブル８の固定部８ａに連結片２１の爪２１ａが食い込むことになる。さらにテーブル８を降下させ続けると、スプリング２２の付勢力に抗してスライダ１９がレール１８に沿って降下し、第一のストッパ１６が孔１６ａから天板４下に没し、連結片２１もその爪２１ａがテーブル８の固定部８ａに食い込んだ状態で穴３ａ内を降下する。第一のストッパ１６等が所定位置まで降下した後、テーブル８の降下を停止させると、テーブル８の固定部８ａの上面がストレッチャ１の天板４の上面に連なる。これによりストレッチャ１と手術台５との接続が完了し、手術台５上に乗ったテーブル８のスライド部８ｂをストレッチャ１の天板４上に円滑に移動させることができ、又はストレッチャ１の天板４上に乗ったテーブル８のスライド部８ｂを手術台５上に戻すことができる。
【００３３】
また、上記接続状態において、逆にテーブル８を上昇させると、テーブル８の固定部８ａと爪２１ａとの噛み合いが解かれ、ストレッチャ１は手術台５から離れることができ、第一のストッパ１６はスプリング２２の付勢力によって天板４上に突出する。
【００３４】
第二のストッパ１７は、天板４が上記検査機器であるＭＲＩ装置１１に接続された時に天板４下に没入可能であり、接続が解かれた後に天板４上に突出可能に構成される。
【００３５】
具体的には、第二のストッパ１７は、図７及び図１０に示すように、天板４下の車台３に垂直に固定されたレール２３に滑り子２４を介して噛み合う。第二のストッパ１７は、滑り子２４を介しレール２３に沿って上方向にスライドすると孔１７ａから天板４上に突出し、下方向にスライドすると天板４下に没する。
【００３６】
第二のストッパ１７には取っ手２５が取付けられ、作業者がこの取っ手２５を持って操作することで第二のストッパ１７は上下方向にスライド可能である。
【００３７】
図１０及び図１１に示すように、車台３の天板４下には、第二のストッパ１７の下端に接離可能にカム片２６が設けられる。カム片２６はスライド棒２７に固定される。スライド棒２７は天板４の下方において天板４の長手方向に沿ってスライド可能である。図１１中、二点鎖線で示すように、スライド棒２７が天板４の長手方向の一端側へとスライドした位置にあるとすると、カム片２６も同様な位置にあって第二のストッパ１７を天板４の上方へと突出させる。実線で示すように、スライド棒２７が天板４の長手方向の他端側へとスライドすると、カム片２６も同様にスライドし、第二のストッパ１７を天板４の下方へと没入させる。
【００３８】
上記スライド棒２７のスライド運動を案内する案内片２８，２９が、車台３における天板４の長手方向の一端下と、第二のストッパ１７の下方とに各々固定される。
【００３９】
スライド棒２７は一方の案内片２８を貫通して天板４外へと突出し、その突出端にはＭＲＩ装置１１の一部である筐体等に接触しうる接触子２７ａが設けられる。また、スライド棒２７は他方の案内片２９内に挿入され、この案内片２９とスライド棒２７の後端との間に収納されたスプリング３０によって、その接触子２７ａを天板４外へと突出させる方向に常時付勢される。
【００４０】
これにより、図６及び図１１に示すように、ストレッチャ１をＭＲＩ装置１１に近づけて接触子２７ａをＭＲＩ装置１１の筐体等に接触させると、スプリング３０の付勢力に抗するようにスライド棒２７がスライドし天板４の内方へ引っ込む。これに連動してカム片２６が第二のストッパ１７の直下から離脱し、第二のストッパ１７は支えを失って自重で落下し、案内片２９に当たって停止する。これにより、第二のストッパ１７は天板４下に没する。第二のストッパ１７が天板４下に没することにより、ストレッチャ１とＭＲＩ装置１１との接続が完了し、天板４上のテーブル８のスライド部８ｂはＭＲＩ装置１１内へと円滑に移動可能になる。
【００４１】
なお、図１０及び図１１に示すように、天板４の端の左右両側には、ＭＲＩ装置１１の筐体等に接触可能に突起３１が設けられる。突起３１には、テーブル８のスライド部８ｂのスライドを円滑に行うためにローラ３２が設けられる。
【００４２】
上記とは逆に、作業者が取っ手２５を持って第二のストッパ１７を天板４上へと持ち上げると、カム片２６が第二のストッパ１７による押圧を解かれ、スプリング３０の弾性によってスライド棒２７と共に二点鎖線で示す元の位置に復帰し、接触子２７ａが再び天板４外へと突出して停止する。そして、作業者が取っ手２５から手を離して第二のストッパ１７を解放すると、第二のストッパ１７がカム片２６に当たって停止し、天板４上に突出した姿勢を保つ。
【００４３】
次に、上記構成のストレッチャの作用について説明する。
【００４４】
（１）図１２（Ａ）に示すように、手術台５のテーブル８のスライド部８ｂ上に患者Ａが乗せられ、この患者Ａの例えば頭部に対し脳腫瘍を摘出する外科手術が行われる。
【００４５】
（２）手術がある程度進行すると、脳腫瘍の摘出状況を検査するために手術が中断され、図１２（B）に示すように、ストレッチャ１が手術台５の近傍へ搬送される。
【００４６】
（３）図１２（B）に示すように、ストレッチャ１が手術台５に近づけられ、図８及び図９に示すように、受容片１３，１３間に凸片１４が押し込まれると、ストレッチャ１の一端が手術台５のテーブル８の一端に接触して停止する。そこで、テーブル８を降下させると、テーブル８の固定部８ａに連結片２１の爪２１ａが食い込む。さらに、テーブル８を降下させ続けると、スプリング２２の付勢力に抗してスライダ１９がレール１８に沿って降下し、第一のストッパ１６が天板４の孔１６ａから天板４下に没し、連結片２１もその爪２１ａがテーブル８の固定部８ａに食い込んだ状態で穴３ａ内を降下する。
【００４７】
第一のストッパ１６等が所定位置まで降下した後、テーブル８の降下を停止させると、図１２（C）に示すように、テーブル８のスライド部８ｂの上面がストレッチャ１の天板４の上面に連なる。これにより、ストレッチャ１と手術台５との接続が完了する。
【００４８】
（４）図１３（Ｄ）に示すように、作業者によってテーブル８のスライド部８ｂが患者Ａを乗せたままで手術台５上からストレッチャ１の天板４上へ移し替えられる。その際、スライド部８ｂはストレッチャ１の左右の案内部１２によっても案内される。
【００４９】
（５）上記テーブル８にストレッチャ１が接続された状態において、手術台５のコラム７の伸び操作によってテーブル８が上昇すると、図９中二点鎖線で示すように、テーブル８の固定部８ａと爪２１ａとの噛み合いが解かれ、ストレッチャ１は手術台５から分離可能になり、図１３（Ｅ）に示すように、第一のストッパ１６はスプリング２２の付勢力によって天板４上に突出する。
【００５０】
（６）図１３（Ｅ）に示すように、天板４上に乗り移ったテーブル８のスライド部８ｂは、ストレッチャ１の天板４上においてその長手方向の両側から第一と第二のストッパ１６，１７によって挟まれる。これにより、スライド部８ｂはストレッチャ１によって搬送される際に、天板４上での移動や天板からの脱落が防止される。
【００５１】
（７）図１３（Ｆ）、図６及び図１１に示すように、ストレッチャ１がＭＲＩ装置１１に近づけられ、接触子２７ａがＭＲＩ装置１１の一部である筐体等に接触すると、スプリング３０の付勢力に抗するようにスライド棒２７がスライドし天板４の内方側へ引っ込む。これに連動してカム片２６が第二のストッパ１７の直下から離脱し、第二のストッパ１７は支えを失って自重で落下し、案内片２９に当たって停止する。これにより、図１３（Ｆ）に示すように、第二のストッパ１７は天板４下に没する。
【００５２】
かくて、ストレッチャ１とＭＲＩ装置１１との接続が完了する。
【００５３】
（８）図１３（Ｇ）に示すように、第二のストッパ１７が天板４下に没することにより、天板４上のテーブル８のスライド部８ｂはＭＲＩ装置１１内へと円滑に移動可能になる。
【００５４】
スライド部８ｂがＭＲＩ装置１１内で停止した後、スライド部８ｂ上の患者Ａの頭部がＭＲＩ装置１１によって画像診断され、脳腫瘍の除去具合が検査され確認される。
【００５５】
（９）図１４（Ｈ）に示すように、天板４上のテーブル８のスライド部８ｂが患者ＡごとＭＲＩ装置１１外に引き出され、ストレッチャ１の天板４上へと戻される。
【００５６】
（１０）作業者によってストレッチャ１がＭＲＩ装置１１から引き離されたうえで、図１１中二点鎖線で示す如く、作業者によって取っ手２５が持ち上げられると、第二のストッパ１７が天板４上へと上昇し、また、カム片２６から離れる。カム片２６はスプリング３０の弾性によってスライド棒２７と共に元の位置に復帰し、図１４（Ｉ）のごとく接触子２７ａが再び天板４外へと突出して停止する。また、作業者が取っ手２５から手を離して第二のストッパ１７を解放すると、第二のストッパ１７の下端がカム片２６に当たって停止し、天板４上に突出した姿勢を保つ。
【００５７】
（１１）天板４上に乗り移ったテーブル８のスライド部８ｂは、再び図１３（Ｅ）に示すように、ストレッチャ１の天板４上においてその長手方向の両側から第一と第二のストッパ１６，１７によって挟まれる。これにより、スライド部８ｂはストレッチャ１によって搬送される際に、天板４上での移動や天板４からの脱落が防止される。
【００５８】
（１２）ストレッチャ１上のスライド部８ｂ及び患者Ａは、図１２（Ｂ）〜（Ｃ）、図１３（Ｄ）に示した操作と逆の操作によって、図１２（Ａ）のごとく再び手術台１上に戻され、手術が再開される。
【００５９】
その後、ＭＲＩ装置による画像診断が必要になる都度、上記（２）〜（１２）の操作が繰り返される。
【００６０】
なお、本発明は上記実施の形態に限定されるものではなく、例えば上記実施の形態では患者の頭部の施術について説明したが他の部位の施術についても適用可能である。
【符号の説明】
【００６１】
１…ストレッチャ
２…車輪
３…車台
４…天板
５…手術台
８…テーブル
１１…検査機器
１２…案内部
１６…第一のストッパ
１７…第二のストッパ
２１…連結片
２７ａ…接触子
Ａ…患者
【図１】
2011245094.tif 000003
【図２】
2011245094.tif 000004
【図３】
2011245094.tif 000005
【図４】
2011245094.tif 000006
【図５】
2011245094.tif 000007
【図６】
2011245094.tif 000008
【図７】
2011245094.tif 000009
【図８】
2011245094.tif 000010
【図９】
2011245094.tif 000011
【図１０】
2011245094.tif 000012
【図１１】
2011245094.tif 000013
【図１２】
2011245094.tif 000014
【図１３】
2011245094.tif 000015
【図１４】
2011245094.tif 000016